(57)【要約】      （修正有）【課題】網戸の防虫効果を高め、一方で網戸の網部分を同時に掃除出来る網戸用防虫兼清掃具を提供する。【解決手段】使用長さに応じて切断可能な積層シート２の背面に接着層３を設け、該接着層３の表面には予め剥離シート４を貼り付けておき、使用時に該剥離シート４をはがして接着層３を網戸と行き交うガラス戸枠体に収まった一番外側のガラス面の長手端部の天地方向に貼り付けるように構成し、積層シート２の表面には、清掃部材８が一体形成されているため、貼り付け場所が枠体より凹んだガラス面部分にしたことで、ガラス戸や網戸の開閉動作によって貼り付けられた網戸用防虫兼用清掃具がガラス面からはがれることがなくなり、更に、ガラス戸を完全に閉めた状態が続いても清掃部材がつぶれてしまう事のないものとなる。又、清掃部材が、防虫剤を含有しているため、更に防虫効果を高めるものとなる。【選択図】図１
0003154509.tif 000002
【実用新案登録請求の範囲】
【請求項１】
使用長さに応じて切断可能な積層シート（２）の背面に接着層（３）を設け、該接着層（３）の表面には予め剥離シート（４）を貼り付けておき、使用時に該剥離シート（４）をはがして接着層（３）を網戸（７）と行き交うガラス戸枠体（５）に収まった一番外側のガラス面（６）の長手端部の天地方向に貼り付けるように構成し、積層シート（２）の表面には、清掃部材（８）が一体形成されていることを特徴とする網戸用防虫兼用清掃具（１）。
【請求項２】
ガラス戸が全開、半開又は全閉状態でも清掃部材（８）の先端が常に網戸（７）面に接触しているように構成したことを特徴とする請求項１記載の網戸用防虫兼用清掃具（１）。
【請求項３】
清掃部材（８）が、樹脂製不織材又はスポンジ材からなることを特徴とする請求項１記載の網戸用防虫兼用清掃具（１）。
【請求項４】
清掃部材（８）が、防虫剤を含有していることを特徴とする請求項１記載の網戸用防虫兼用清掃具（１）。
【考案の詳細な説明】
【技術分野】
【０００１】  本考案は、網戸の防虫効果を高め、一方で網戸の網部分を同時に清掃出来る網戸用防虫兼用清掃具に関する。
【背景技術】
【０００２】  従来、ガラス戸を半開き等の状態により生じるガラス戸と網戸との隙間部からの虫類やゴミ等の部屋への侵入をシャットアウトするための隙間を埋めるブラシレールや虫類シャットアウト部材が提案されている。
【先行技術文献】
【特許文献】
【０００３】
【特許文献１】  実用新案登録第３０８４２２６号
【特許文献２】  実用新案登録第３１２５２１２号
【考案の概要】
【考案が解決しようとする課題】
【０００４】  しかしながら、特許文献１のような樹脂製プレートに植え付けられたブラシシールは、ガラス戸の外枠縦材に接着するため、網戸を完全に閉めきった状態が続くと、形態安定性のある起毛ブラシを使用してもブラシ部分がつぶれてしまうため、ガラス戸の開閉時にガラス面と網戸面に隙間が生じる欠点があった。【０００５】  更に外枠縦材に接着しているため、幾度もの開閉動作によりブラシレールがはがれてしまう欠点があった。【０００６】  特許文献２のような虫類シャットアウト部材では、ガラス面のみ弾力性ブラシ材が接触しないため、網戸の清掃を行うことは出来なかった。【０００７】  又、プレートを網戸枠体に貼り付けているため、こちらも特許文献１のブラシレールと同様、幾度ものガラス戸の開閉動作により虫類シャット部材がはがれてしまう欠点があった。
【問題点を解決するための手段】
【０００８】  上記問題点を解決するために本考案の網戸用防虫兼用清掃具は、使用長さに応じて切断可能な積層シート（２）の背面に接着層（３）を設け、該接着層（３）の表面には予め剥離シート（４）を貼り付けておき、使用時に該剥離シート（４）をはがして接着層（３）を網戸（７）と行き交うガラス戸枠体（５）に収まった一番外側のガラス面（６）の長手端部の天地方向に貼り付けるように構成し、積層シート（２）の表面には、清掃部材（８）が一体形成されていることを特徴とする。
【０００９】  更に、ガラス戸が全開、半開又は全閉状態でも清掃部材（８）の先端が常に網戸（７）面に接触しているように構成したことを特徴とする。
【００１０】  又、清掃部材（８）が、樹脂製不織材又はスポンジ材からなることを特徴とする。
【００１１】  又、清掃部材（８）が、防虫剤を含有していることを特徴とする。
【考案の効果】
【００１２】  本考案の網戸用防虫兼用清掃具は、接着層によって簡単にガラス面に接着して固定出来る。
【００１３】  その際、ガラス面の天地方向の長さに応じて、使用者が自由に調節して切断して固定出来るため、無駄のない優れたものとなる。
【００１４】  貼り付け場所が枠体より凹んだガラス面部分にしたことで、従来存在したものとは違い、ガラス戸や網戸の開閉動作によって貼り付けられた網戸用防虫兼用清掃具がガラス面からはがれることがない優れたものとなる。
【００１５】  更に、ガラス戸を完全に閉めた状態が続いても清掃部材がつぶれてしまう事のない優れたものとなる。
【００１６】  又、清掃部材が、防虫剤を含有しているため、更に防虫効果を高めるものとなる。
【図面の簡単な説明】
【００１７】
【図１】本考案の一実施例を示す斜視図である。
【図２】本考案においてガラス戸が閉められた状態を示す斜視図である。
【図３】本考案においてガラス戸が途中まで開けられた状態を示す斜視図である。
【図４】本考案においてガラス戸が全開された状態を示す斜視図である。
【図５】本考案の一実施例のうち、清掃部材が樹脂製不織材としたものを示す斜視図である。
【図６】本考案の一実施例のうち、清掃部材がスポンジ材としたものを示す斜視図である。
【考案を実施するための形態】
【００１８】  本考案における網戸用防虫兼用清掃具の大きさ、デザイン、材質、製造方法等は特に限定される事はないが、使用長さに応じて切断出来るように薄い積層シートが良い。
【００１９】  積層シート表面に一体形成される清掃部材として、樹脂製不織材又はスポンジ材が接着や縫い付けの手段によって構成しておくことが好ましく、更に清掃部材が、予め防虫剤を含有しているものが良い。
【００２０】  樹脂性不織材とは、例えば毛羽立たせた状態のもので、ナイロン、ポリエステル等の樹脂製の不織材としたものを言い、網戸との摩擦で簡単にはがれないように、樹脂製不織材が隙間から毛部分として露出出来るようにした網目形状の袋等に入れて積層シート表面に一体形成しておくことが好ましい。
【００２１】  清掃部材の厚み幅は、網戸と取り付けたガラス面との隙間の幅程度、およそ１０から２０ｍｍ程度としたものが好ましい。もちろん常に網戸面に接触するようにしておく。それにより、ガラス戸の開閉時に網戸との隙間が出来なくなる。
以下、実施例と図に基づき説明する。
【実施例】
【００２２】  以下、本考案の一実施例及び従来の一実施例を図１、図２、図３、図４、図５及び図６で説明するがこれによって本考案は、なんら限定されるものではない。【００２３】  図１は本考案の一実施例を示し、使用長さに応じて切断可能な積層シート（２）の背面に接着層（３）を設け、該接着層（３）の表面には予め剥離シート（４）が貼り付けられ、その表面には清掃部材（８）が一体形成されている。【００２４】  図２は本考案においてガラス戸が閉められた状態を示しており、剥離シート（４）をはがして接着層（３）を網戸（７）と行き交うガラス戸枠体（５）に収まった一番外側のガラス面（６）の長手端部の天地方向に貼り付けており、積層シート（２）の表面に一体形成された清掃部材（８）の先端が常に網戸（７）面に接触している状態を示している。【００２５】  図３は本考案においてガラス戸が半開きになった状態を示しており、網戸（７）と行き交う一番外側のガラス戸枠体（５）に収まったガラス面（６）に貼り付けられた網戸用防虫兼用清掃具（１）によって、隙間が生じず、なおかつ、網戸（７）が清掃部材（８）の先端によって清掃されている状態も同時に示している。【００２６】  図４は本考案においてガラス戸が全開になった状態を示しており、こちらも図３と同様に隙間が生じず、清掃部材（８）の先端が常に網戸（７）の内側に接触し、隙間が生じない状態を示している。【００２７】  図５は本考案のうち、積層シート（２）の表面に一体形成される清掃部材（８）が樹脂製不織材としたものを示しており、ポリエステル等の樹脂製の不織材としたものを毛羽立たせ、網戸（７）との摩擦で簡単にはがれないように、樹脂製不織材が隙間から毛部分として露出出来るようにした網目形状の袋（９）に入れた状態のものを示している。【００２８】  図６は積層シート（２）の表面に一体形成される清掃部材（８）がスポンジ材としたものを示している。
【産業上の利用の可能性】
【００２９】  本考案の網戸用防虫兼用清掃具は、接着層によって簡単にガラス面に接着して固定出来き、その際、ガラス面の天地方向の長さに応じて、使用者が自由に調節して切断して固定出来るため、無駄のない優れたものとなる。
【００３０】  又、貼り付け場所が枠体より凹んだガラス面部分にしたことで、ガラス戸や網戸の開閉動作によって貼り付けられた網戸用防虫兼用清掃具がガラス面からはがれることがなくなる。
【００３１】  更に、ガラス戸を完全に閉めた状態が続いても清掃部材がつぶれてしまう事のない網戸用防虫兼用清掃具と出来る。
【００３２】  又、清掃部材が、防虫剤を含有しているため、更に防虫効果を高めるものとなる。
【符号の説明】
【００３３】１  網戸用防虫兼用清掃具    ２  積層シート    ３  接着層
４  剥離シート    ５，５’  ガラス戸枠体      ６，６’  ガラス面
７  網戸    ８  清掃部材    ９  網目状の袋
【図１】
0003154509.tif 000003
【図２】
0003154509.tif 000004
【図３】
0003154509.tif 000005
【図４】
0003154509.tif 000006
【図５】
0003154509.tif 000007
【図６】
0003154509.tif 000008